(57)【要約】  【課題】ホログラム搬送時にホログラムを保護し、ホログラムを適切な配置の光源によって鑑賞することを可能とする。  【解決手段】ポストカード５０は、薄板状部材５１ａ、５１ｂが折り畳み自在とされ、２層構造の外装部５１を有する。外装部５１の内面側に位置する支持体角度矯正部５２によって、ホログラム支持板５３が支持される。外装部５１を開いた状態において、支持体角度矯正部５２の上にホログラム支持板５３が位置し、ホログラム支持板５３が開口方向に正対する位置にセットされ、その上にホログラムが配置される。外装部５１の上端部には、光源支持部５５が形成される。光源支持部５５にホログラムを適切な距離および角度で照射するように光源５６が設置される。光源支持部５５は、上方からの外光（不要光）が直接ホログラムに照射するのを防ぐ庇としての機能も果たしている。【選択図】図５
2008070478.tif 000002
【特許請求の範囲】
【請求項１】
少なくとも２つの薄板状部材が連設されてなり、該薄板状部材が連設部で折畳み自在とされた外装部と、
上記外装部を開いた状態において当該外装部の内面で立体構造をなす第１の立体構造部および第２の立体構造部と、
上記第１の立体構造部に配設されたホログラム又はホログラフィックステレオグラムを支持するホログラム支持部と、
上記第２の立体構造部に配設された上記ホログラム又はホログラフィックステレオグラムを照射する光源を支持する光源支持部と、
を有することを特徴とするホログラム包装体。
【請求項２】
上記光源支持部に、光源が予め支持されている
ことを特徴とする請求項１記載のホログラム包装体。
【請求項３】
上記光源を点灯または消灯に切り替えるスイッチが上記外装部に設けられ、
上記スイッチは、上記外装部が折り畳まれた状態では上記光源を消灯させ、上記外装部が開かれた状態では上記光源を点灯させる
ことを特徴とする請求項２記載のホログラム包装体。
【請求項４】
上記光源を点灯または消灯に切り替えるスイッチが設けられ、
上記スイッチを押すことにより上記光源が点灯され、
上記スイッチを再度押すまでの間、押し続けている間、並びに押してから所定の時間の間のいずれかの期間のみ上記光源が点灯される
ことを特徴とする請求項２記載のホログラム包装体。
【請求項５】
上記外装部を開いたときに、上記少なくとも２つの薄板状部材が１８０度より小さい角度までしか開かないようになっている
ことを特徴とする請求項１記載のホログラム包装体
【請求項６】
上記光源支持部は、上記外装部を開いた状態において、上記光源と上記ホログラムまたはホログラフィックステレオグラムの中心とを結ぶ線と、上記ホログラムまたはホログラフィックステレオグラムの面の法線とのなす角度が所定の角度を保つようにして光源を支持する
ことを特徴とする請求項１記載のホログラム包装体。
【請求項７】
上記所定の角度が４０度〜６０度である
ことを特徴とする請求項６記載のホログラム包装体。
【請求項８】
上記外装部を開いた状態で平面を有する被設置体に立てて設置されたときに、上記第２の立体構造部は上記ホログラムまたはホログラフィックステレオグラムよりも上部に設けられ、上記光源より上部からの光が上記ホログラムまたはホログラフィックステレオグラムを照射することを抑制する
ことを特徴とする請求項１記載のホログラム包装体。
【請求項９】
上記外装部を開いた状態において当該外装部の内面で立体構造をなす第３の立体構造部をさらに有する
ことを特徴とする請求項１記載のホログラム包装体。
【請求項１０】
上記外装部を開いた状態で平面を有する被設置体に設置されたときに、上記第３の立体構造部は、上記ホログラムまたはホログラフィックステレオグラムよりも上部に設けられ、上記ホログラムまたはホログラフィックステレオグラムより上部からの光が上記ホログラムまたはホログラフィックステレオグラムを照射することを抑制する
ことを特徴とする請求項９記載のホログラム包装体。
【請求項１１】
音声再生部をさらに備える
ことを特徴とする請求項１記載のホログラム包装体。
【発明の詳細な説明】
【技術分野】
【０００１】
この発明は、ホログラム又はホログラフィックステレオグラムのホログラム面を保護しながらこれを包装すると共に、ホログラム又はホログラフィックステレオグラムを展示する機能を有するホログラム包装体に関する。
【背景技術】
【０００２】
ホログラムは、再生光が入射されることによって立体画像（ホログラム像）を再生することが可能とされている。この再生光としては、例えばレーザ光などのようにコヒーレントな光が必要とされる場合もあるが、例えばいわゆるレインボーホログラムやリップマンホログラム等を再生する場合には、ハロゲンランプや自然光などのインコヒーレントな白色光源を再生光として用いることができる。
【０００３】
このように再生光として白色光源を用いることが可能なホログラムは、従来から、立体画像を再生することが可能なホログラムが、例えばクレジットカードにおける偽造防止等の目的で広く利用されている。また、例えば、鑑賞目的でホログラム像を展示する装置として、各種のホログラム展示装置が利用されている。
【０００４】
ホログラムに再生光が入射されると、記録時における物体光の波面が再生され、この波面が観察者によってホログラム像として観察されることとなる。
【０００５】
また、ホログラムの一種としては、いわゆるホログラフィックステレオグラムと称されるものがある。ホログラフィックステレオグラムは、例えば、被写体を異なる観察点から順次撮像することによって得られた多数の画像を原画として、これらを１枚のホログラム用記録媒体に短冊状又はドット状の要素ホログラムとして順次露光記録することによって作製される。
【０００６】
例えば、横方向のみに視差情報を有するホログラフィックステレオグラムは、図１２に示すように、被写体１００を横方向の異なる観察点から順次撮影することによって得られた複数の原画１０１ａ〜１０１ｅを、所定の光学系を有するホログラフィックステレオグラム作製装置における表示器に順次表示し、表示された画像にレーザ光を照射することで画像変調した物体光と参照光との干渉によって生じる干渉縞を短冊状の要素ホログラムとしてホログラム用記録媒体１０２に順次露光記録することによって作製される。
【０００７】
このようにして作製されたホログラフィックステレオグラムは、横方向の異なる観察点から順次撮影することによって得られた画像情報が、短冊状の要素ホログラムとして横方向に順次記録されていることから、観察者がこれをある位置から片方の目で見た場合には、各要素ホログラムの一部分として記録されている画像情報の集合体が２次元画像として識別され、また、この位置とは異なる他の位置から片方の目で見た場合には、各要素ホログラムの他の一部分として記録されている画像情報の集合体が他の２次元画像として識別される。したがって、ホログラフィックステレオグラムは、観察者がこれを両目で見た場合には、左右の目の視差により、露光記録画像が３次元画像として認識される。
【０００８】
ところで、上述したようなホログラフィックステレオグラム等のホログラムを良好に再生してホログラム像の視認性を向上させるためには、光源から再生光として放射される光の発散角をホログラムの記録時における参照光に近い状態とすることが求められる。したがって、ホログラムを再生する場合には、このホログラムと光源や観察者との空間的な位置関係、或いはこれらの物理的な形状などに応じて、観察されるホログラム像の視認性や画質が変化する。
【０００９】
したがって、特に鑑賞目的でホログラムを展示する場合には、ホログラム、光源、及び観察者の位置関係を制限することによってホログラム像の良好な再生を可能とすることが要求される。
【００１０】
このようなホログラム展示装置としては、例えば下記の特許文献１に記載されているように、ホログラムと、このホログラムに再生光を照射する光源とを備えるものが各種提案されている。
【００１１】
【特許文献１】特開平１０−０６３２１０号公報
【００１２】
また、下記の特許文献２には、光源は内蔵せず、ホログラムのみを外装部に収容するホログラム包装体の例が記載されている。
【００１３】
【特許文献２】特開２００３−２２０１３号公報
【発明の開示】
【発明が解決しようとする課題】
【００１４】
ところで、特許文献１に記載されている従来のホログラム展示装置は、ホログラム、光源、及び観察者の位置関係を制限してホログラム像の視認性を向上させるために、ホログラムに対して再生光を照明する光源や光学系が複雑で大掛かりな構造とされており、大きな体積や重量を有する立体構造物とされている。したがって、従来のホログラム展示装置は、輸送や運搬に多くの労力が必要であった。
【００１５】
また、ホログラムは、輸送中や運搬中にホログラム面に破損や損傷などが生じると、ホログラム像の視認性が劣化してしまうといった虞があった。
【００１６】
さらに、特許文献２に記載されているホログラム包装体は、光源を内蔵せず、包装体に収納されているホログラムを鑑賞するために、別個に光源および光源を支持する支持体を用意する必要があった。常に高画質のホログラムを鑑賞するためには、ホログラムと光源との相対的な位置関係を適切な位置関係、具体的には常に最適な観察条件とされる位置関係に保つことが必要であるが、特許文献２に記載のものにおいては、展示の際にホログラムと光源とをそれぞれ適切な位置に設置し、これらの位置関係を維持させることは困難であった。
【００１７】
したがって、この発明の目的は、輸送中や運搬中にホログラムに破損や損傷が生じてしまうことを防止するとともに、光源支持体を用意する必要がなく、ホログラムと光源との相対的位置関係を適切に保つことにより、ホログラム像を良好に再生することが可能なホログラム包装体を提供することにある。
【課題を解決するための手段】
【００１８】
上述の課題を解決するために、この発明は、少なくとも２つの薄板状部材が連設されてなり、該薄板状部材が連設部で折畳み自在とされた外装部と、
外装部を開いた状態において当該外装部の内面で立体構造をなす第１の立体構造部および第２の立体構造部と、
第１の立体構造部に配設されたホログラム又はホログラフィックステレオグラムを支持するホログラム支持部と、
第２の立体構造部に配設されたホログラム又はホログラフィックステレオグラムを照射する光源を支持する光源支持部と、
を有することを特徴とするホログラム包装体である。
【００１９】
好ましくは、光源支持部に、光源が予め支持されている。また、好ましくは、外装部を開いた状態において当該外装部の内面で立体構造をなす第３の立体構造部をさらに有し、第３の立体構造部は、ホログラムまたはホログラフィックステレオグラムより上部からの光がホログラムまたはホログラフィックステレオグラムを照射することを抑制するようになされる。
【発明の効果】
【００２０】
この発明によれば、搬送の際には外装部を折り畳むことによってホログラム包装体の厚さを薄くすることができ、ホログラムを可搬性及び収納性に優れた状態で包装することができる。また、外装部を折り畳んだ内側に、ホログラムを挟持された状態で収納することができることから、ホログラム面の破損や損傷を防止することができる。
【００２１】
また、この発明によれば、展示の際には外装部を開いた状態で立体構造をなす第１の立体構造部にホログラムを取り付け、第２の立体構造部に光源をとりつけることにより、ホログラムと光源との相対的な位置関係を適切な位置関係として容易に設置し、維持することができる。したがって、容易に高画質のホログラムを鑑賞することができる。
【００２２】
さらに、外装部によってホログラム又はホログラフィックステレオグラムに入射する光の方向を制限することができることから、このホログラムにより再生されるホログラム像の視認性を向上させることができると共に、立体体構造部による立体表現とホログラム像による立体表現との相乗効果により効果的な３次元表現を行うことができる。
【発明を実施するための最良の形態】
【００２３】
以下、この発明の実施の形態について図面を参照しながら説明する。この発明は、ホログラム又はホログラフィックステレオグラムを包装体や展示装置に取り付ける場合に適用されるものである。
【００２４】
そこで、以下では、この発明を適用した包装体や展示装置についての説明に先だって、これら包装体や展示装置に取り付けられるホログラムやホログラフィックステレオグラムの一例として、ホログラフィックステレオグラムについて具体的に説明する。
【００２５】
まず、ホログラム用記録媒体に対する要素ホログラムの露光記録原理について説明する。
【００２６】
ホログラム用記録媒体３は、図１に示すように、例えばポリエチレンテレフタラート（PolyEthylene Terephthalate；以下、ＰＥＴという。）フィルムからなる支持材料たるベースフィルム４の上に光重合型フォトポリマからなる記録層たるフォトポリマ層５が形成されるとともに、このフォトポリマ層５の上に、例えばＰＥＴフィルムからなる支持材料たるカバーフィルム６が被着形成されてなり、いわゆるフィルム塗布型記録媒体として構成されている。
【００２７】
このようなホログラム用記録媒体３は、図２Ａに示すように、フォトポリマ層５を構成する光重合型フォトポリマが、初期状態においてはマトリクスポリマ中にモノマＭが均一に分散している状態にある。光重合型フォトポリマは、１０ｍＪ／ｃｍ2 乃至４００ｍＪ／ｃｍ2 のパワーを有するレーザ光ＬＡが照射されることにより、図２Ｂに示すように、露光部においてマトリクスポリマ中に均一に分散していたモノマＭが重合してポリマ化した状態となる。
【００２８】
光重合型フォトポリマは、ポリマ化するにつれて、モノマＭが周囲から移動することによりモノマＭの濃度の不均一さが生じ、これにより露光部と未露光部とで屈折率の変調が生じる。光重合型フォトポリマは、この後、図２Ｃに示すように、１０００ｍＪ／ｃｍ2
程度のパワーの紫外線又は可視光ＬＢが全面に照射されることにより、マトリクスポリマ中においてモノマＭの重合が完了する。
【００２９】
ホログラム用記録媒体３においては、上述のように、フォトポリマ層５を構成する光重合型フォトポリマが、入射されたレーザ光ＬＡに応じて屈折率が変化することによって、物体光と参照光との干渉によって生じる干渉縞を屈折率の変化として露光記録される。
【００３０】
また、ホログラム用記録媒体３は、いわゆるフィルム塗布型記録媒体として構成されていることから、露光記録後に、特別な現像処理を施す工程が不要とされている。したがって、このようなホログラム用記録媒体３を用いてホログラム像を記録することによって、ホログラフィックステレオグラム作製装置において現像工程を行う構造が不要となり、装置構成を簡易化することができるとともに、ホログラフィックステレオグラムを迅速に作製することができる。
【００３１】
ここで、上述したホログラム用記録媒体３を用いてホログラフィックステレオグラムを作製するホログラフィックステレオグラム作製装置について説明する。
【００３２】
なお、以下の説明においては、短冊状の複数の要素ホログラムを１つのホログラム用記録媒体３に露光記録することにより、横方向の視差情報を有するホログラフィックステレオグラムを作製するものとして説明する。ただし、ホログラフィックステレオグラムは、例えば、ドット状の複数の要素ホログラムを１つのホログラム用記録媒体に露光記録することにより、横方向及び縦方向の視差情報を有するものであってもよいことは云うまでもない。
【００３３】
ホログラフィックステレオグラム作製装置１０は、図３に示すように、感光フィルムからなるホログラム用記録媒体３に対してホログラフィックステレオグラム画像を露光記録するものである。ホログラフィックステレオグラム作製装置１０は、露光記録対象の画像データの処理を行う画像データ処理部１１と、当該ホログラフィックステレオグラム作製装置１０を統括的に制御する制御用コンピュータ１２と、ホログラフィックステレオグラム作製用の光学系を有するホログラフィックステレオグラム作製部１３とを備える。
【００３４】
画像データ処理部１１は、少なくとも画像処理用コンピュータ１４及び記憶装置１５を有し、例えば多眼式カメラや移動式カメラ等を有する視差画像列撮像装置１から供給される視差情報を含む撮像画像データＤ１や、画像データ生成用コンピュータ２によって生成された視差情報を含むコンピュータ画像データＤ２等の画像データに基づいて、視差画像データ列Ｄ３を生成する。
【００３５】
なお、撮像画像データＤ１は、例えば多眼式カメラによる同時撮影又は移動式カメラによる連続撮影によって得られた複数の画像データであり、撮像画像データＤ１を構成する各画像データ間には視差情報が含まれる。また、コンピュータ画像データＤ２は、例えばＣＡＤ（Computer Aided Design ）やＣＧ（ComputerGraphics）として作成された複数の画像データであり、コンピュータ画像データＤ２を構成する各画像データ間には視差情報が含まれる。
【００３６】
画像データ処理部１１は、これらの撮像画像データＤ１及び／又はコンピュータ画像データＤ２に基づく視差画像データ列Ｄ３に対して、画像処理用コンピュータ１４によってホログラフィックステレオグラム用の所定の画像処理を施してホログラム画像データＤ４を生成する。ホログラム画像データＤ４は、例えばメモリやハードディスク装置等の記憶装置１５に一時的に格納される。画像データ処理部１１は、後述するように、ホログラム用記録媒体３に対して要素ホログラム画像を露光記録する際に、記憶装置１５に格納されたホログラム画像データＤ４から１画像分毎の要素ホログラム画像データＤ５を順次読み出し、これらの要素ホログラム画像データＤ５を、制御用コンピュータ１２に供給する。      
【００３７】
制御用コンピュータ１２は、ホログラフィックステレオグラム作製部１３を制御して、画像データ処理部１１から供給された要素ホログラム画像データＤ５に基づく要素表示画像を、ホログラフィックステレオグラム作製部１３の一部に設けられたホログラム用記録媒体３に短冊状の要素ホログラムとして順次露光記録させる。この際、制御用コンピュータ１２は、後述するように、ホログラフィックステレオグラム作製部１３の各機構の動作を制御する。
【００３８】
ホログラフィックステレオグラム作製部１３は、光学系を構成する各部材が図示しない支持基板（光学定盤）に配設支持されるとともに、この支持基板が図示しないダンパ等を介して装置筐体に支持された構造とされている。ホログラフィックステレオグラム作製部１３は、ホログラフィックステレオグラム作製用の光学系として、入射光学系、物体光学系及び参照光学系を有する。なお、ホログラフィックステレオグラム作製装置１０は、感光材であるホログラム用記録媒体３を用いることから、装置筐体は、少なくとも光学系の遮光性を保持した構造となっている。
【００３９】
ホログラフィックステレオグラム作製部１３は、図４Ａに示すように、入射光学系として、所定の波長のレーザ光を出射するレーザ光源２１と、このレーザ光源２１からのレーザ光Ｌ１の光軸上に配されてレーザ光Ｌ１を後段へ入射させる又は遮断するシャッタ機構２２と、レーザ光Ｌ１を物体光Ｌ２と参照光Ｌ３とに分割するハーフミラー２３とを有する。
【００４０】
レーザ光源２１は、例えば単一波長で且つ干渉性のよいレーザ光Ｌ１を出射する半導体励起ＹＡＧレーザ装置、水冷アルゴンイオンレーザ装置又は水冷クリプトンレーザ装置等のレーザ装置から構成される。
【００４１】
シャッタ機構２２は、要素ホログラム画像データＤ５の出力タイミングに対応して制御用コンピュータ１２から出力された制御信号Ｃ１によって開閉動作され、レーザ光Ｌ１を後段の光学系へと入射させる。または、レーザ光Ｌ１の後段の光学系への入射を遮断する。
【００４２】
ハーフミラー２３は、入射されたレーザ光Ｌ１を透過光と反射光とに分割する。レーザ光Ｌ１は、透過光が上述した物体光Ｌ２として用いられる一方、反射光が参照光Ｌ３として用いられる。これらの物体光Ｌ２と参照光Ｌ３とは、それぞれ、後段に設けられた物体光学系又は参照光学系に入射される。
【００４３】
なお、入射光学系には、図示しないが、レーザ光Ｌ１の進行方向を適宜変化させ、物体光Ｌ２と参照光Ｌ３との光路長を同一にすること等を目的としてミラー等を設けてもよい。また、シャッタ機構２２は、例えば、シャッタ片を機械的に駆動するように構成したものや、音響光学変調器（Acousto-Optic Modulation；ＡＯＭ）を用いた電子シャッタによって構成したものであってもよい。すなわち、シャッタ機構２２は、レーザ光Ｌ１を遮蔽及び透過可能とする開閉自在なものであればよい。
【００４４】
また、ホログラフィックステレオグラム作製部１３は、図４Ａ及び図４Ｂに示すように、物体光学系として、ミラー２４、スペーシャルフィルタ２５、コリメータレンズ２６、投影レンズ２７、シリンドリカルレンズ２８及びマスク２９等の光学部品を有し、これらの各光学部品を光軸に沿ってその入力側から順次配列させている。
【００４５】
ミラー２４は、ハーフミラー２３を透過した物体光Ｌ２を反射する。このミラー２４によって反射された物体光Ｌ２は、スペーシャルフィルタ２５へと入射される。
【００４６】
スペーシャルフィルタ２５は、例えば凸レンズとピンホールとを組み合わせて構成されており、ミラー２４によって反射された物体光Ｌ２を後述する透過型液晶表示器３０の表示面幅に対応して等方的に拡大させる。
【００４７】
コリメータレンズ２６は、スペーシャルフィルタ２５によって拡大された物体光Ｌ２を、平行光化して透過型液晶表示器３０へと導光する。
【００４８】
投影レンズ２７は、物体光Ｌ２を若干拡散させ、シリンドリカルレンズ２８へと投影する。この投影レンズ２７は、物体光Ｌ２を若干拡散させることにより、作製されるホログラフィックステレオグラムの画質の向上に寄与するものである。
【００４９】
シリンドリカルレンズ２８は、平行光化された物体光Ｌ２を横方向に対して集光する。      
【００５０】
マスク２９は、短冊状の開口部を有しており、シリンドリカルレンズ２８によって集光された物体光Ｌ２のうち、開口部を通過したものを、ホログラム用記録媒体３へと入射させる。
【００５１】
また、物体光学系には、コリメータレンズ２６と投影レンズ２７との間に位置して透過型液晶表示器３０が配設されている。透過型液晶表示器３０には、制御用コンピュータ１２から供給された要素ホログラム画像データＤ５に基づいて、要素ホログラム画像が順次表示される。なお、制御用コンピュータ１２は、要素ホログラム画像データＤ５の出力タイミングに対応して、駆動信号Ｃ２を後述するホログラム用記録媒体３の記録媒体送り機構３４に供給し、その動作制御を行うことにより、ホログラム用記録媒体３の送り動作を制御する。
【００５２】
このような物体光学系においては、入射光学系から分割されて入射される細いビーム状である物体光Ｌ２が、スペーシャルフィルタ２５によって拡大されるとともに、コリメータレンズ２６に入射することで平行光とされる。さらに、物体光学系においては、コリメータレンズ２６を介して透過型液晶表示器３０に入射された物体光Ｌ２が、この透過型液晶表示器３０に表示された要素ホログラム画像に応じて画像変調されるとともに、投影レンズ２７を介してシリンドリカルレンズ２８へと入射される。そして、物体光学系は、シャッタ機構２２が開放動作されている間、画像変調された物体光Ｌ２をマスク２９の開口部を介してホログラム用記録媒体３に入射させ、要素ホログラム画像に対応してこれを露光記録する。
【００５３】
さらに、ホログラフィックステレオグラム作製部１３は、参照光学系として、スペーシャルフィルタ３１、コリメータレンズ３２及びミラー３３を有し、これらの各光学部品を光軸に沿ってその入力側から順次配列させている。
【００５４】
スペーシャルフィルタ３１は、上述した物体光学系におけるスペーシャルフィルタ２５とは異なり、例えばシリンドリカルレンズとスリットとが組み合わされて構成され、ハーフミラー２３によって反射分割された参照光Ｌ３を所定幅、具体的には、透過型液晶表示器３０の表示面幅に対応して１次元方向に拡大させる。
【００５５】
コリメータレンズ３２は、スペーシャルフィルタ３１によって拡大された参照光Ｌ３を平行光化する。
【００５６】
ミラー３３は、参照光Ｌ３を反射させてホログラム用記録媒体３の後方へと導光して入射させる。
【００５７】
このような光学系を備えるホログラフィックステレオグラム作製部１３は、ハーフミラー２３によって分割された物体光Ｌ２が通過する光学系である物体光学系と、参照光Ｌ３が通過する光学系である参照光学系との光路長がほぼ同一に構成されている。したがって、ホログラフィックステレオグラム作製部１３は、物体光Ｌ２と参照光Ｌ３との干渉性の向上が図られて、より鮮明な再生像が得られるホログラフィックステレオグラムを作製することができる。
【００５８】
さらに、ホログラフィックステレオグラム作製装置１０は、ホログラム用記録媒体３を図４Ｂ中の矢印で示す方向へと１要素ホログラム分だけ間欠送りする記録媒体送り機構３４を備える。
【００５９】
記録媒体送り機構３４は、制御用コンピュータ１２から供給される駆動信号Ｃ２に基づいて、ホログラム用記録媒体３を間欠的に走行駆動する。また、ホログラフィックステレオグラム作製装置１０は、この記録媒体送り機構３４の動作に連動して制御用コンピュータ１２から供給される制御信号Ｃ１に基づいて、上述したシャッタ機構２２が動作されてレーザ光Ｌ１の光路を開放する。
【００６０】
このようなホログラフィックステレオグラム作製装置１０は、１要素画像分の露光記録終了毎に制御用コンピュータ１２から１要素ホログラムに対応した駆動信号Ｃ２が記録媒体送り機構３４に対して供給されることにより、ホログラム用記録媒体３を１要素ホログラムに対応した量だけ走行路に沿って走行駆動させ、マスク２９の開口部に未露光部位を対応させて停止させる。なお、ホログラフィックステレオグラム作製装置１０は、ホログラム用記録媒体３の走行動作に伴って当該ホログラム用記録媒体３に生じた振動が速やかに停止されるように構成される。ここで、ホログラム用記録媒体３は、長尺状の感光フィルムからなり、図示しないが、例えば全体が遮光状態に保持されたフィルムカートリッジの内部に回転自在に設けられた供給ロールに巻回されている。ホログラム用記録媒体３は、このフィルムカートリッジがホログラフィックステレオグラム作製装置１０に装填されると、ホログラフィックステレオグラム作製装置１０の内部に繰り出され、記録媒体送り機構３４によって走行路を走行駆動させられる。
【００６１】
ホログラフィックステレオグラム作製装置１０は、この状態でシャッタ機構２２が開放動作されてホログラム用記録媒体３に対してその表裏面から画像変調された物体光Ｌ２と参照光Ｌ３とをホログラム用記録媒体３に入射させ、要素ホログラム画像に対応した干渉縞を露光記録する。ホログラフィックステレオグラム作製装置１０は、１要素画像の露光記録が終了すると制御用コンピュータ１２から記録媒体送り機構３４に対して駆動信号Ｃ２が供給され、ホログラム用記録媒体３を速やかに所定量だけ走行駆動させ停止させる。      
【００６２】
さらに、ホログラフィックステレオグラム作製装置１０は、図示しない定着処理部により、ホログラム用記録媒体３に対する紫外線の照射処理と、ホログラム用記録媒体３に対する所定温度での加熱処理とからなる定着処理を行い、ホログラム用記録媒体３に対して露光記録されたホログラフィックステレオグラム画像を定着させる。ホログラフィックステレオグラム作製装置１０は、定着処理が施されたホログラム用記録媒体３を、ホログラフィックステレオグラム画像毎に所定の大きさに順次切り抜き、１枚のホログラフィックステレオグラムとして外部に排出する。
【００６３】
ホログラフィックステレオグラム作製装置１０は、以下順次この動作を行うことにより、長尺状のホログラム用記録媒体３に対して、複数のホログラフィックステレオグラム画像を順次露光記録し、１枚のホログラフィックステレオグラム画像が露光記録されたホログラフィックステレオグラムを作製する。
【００６４】
次に、以下では、この発明を適用して構成され、上述のようにして作成されたホログラフィックステレオグラムや、各種のホログラムが取り付けられるホログラム包装体及びホログラム展示装置の第１の実施の形態として、図５に示すようなポストカード５０について説明する。
【００６５】
ポストカード５０は、薄板状部材５１ａ、５１ｂからなる外装部５１を有する。外装部５１は、例えば紙や薄板状に形成された樹脂材料などによって形成される矩形の成形品である。外装部５１は、同図中Ａ−Ａ線で示す位置（以下、折り部と適宜称する。）で折り畳み自在とされており、この折り部によって２つの薄板状部材５１ａ、５１ｂに分割された構造とされている。言い換えると、ポストカード５０は、２つの薄板状部材５１ａ、５１ｂが折り部で連設され、この折り部で折り畳み自在とされている。ポストカード５０は、薄板状部材５１ａ、５１ｂを開き、薄板状部材５１ａと５１ｂとが例えば互いに垂直となるように、平面を有する載置台上に立てて載置される。
【００６６】
外装部５１は、その外面側には、別の薄板状部材を貼り付けて２層構造とされている。外装部５１を２層構造とすることによって、切欠きを形成した場合の開口が塞がれて強度が増し、また、また、２層構造の間に、電源（電池）、配線、回路（集積回路）などの部品の収納が可能な部品収納部を形成することができる。
【００６７】
ポストカード５０は、外装部５１の内面側に位置する支持体角度矯正部５２（第１の立体構造部）を有する。支持体角度矯正部５２は、外装部５１を開いた際にホログラム支持板５３を支えるための部品で、例えば図中Ａ−Ａ線を境に線対称の立体構造を形成する一対の山形形状である。外装部５１を閉じた状態では、支持体角度矯正部５２の一対の山形が外装部５１の折り部を中心として重なるようにして折り畳まれる。支持体角度矯正部５２は外装部５１と同様に、例えば紙や薄板状に形成された樹脂材料によって形成されている。
【００６８】
図５および図６に示すように、支持体角度矯正部５２は、例えば薄板状部材５１ａ、５１ｂの一部が切り起こされることによって形成される。具体的には、外装部５１の折り部の一部に形成した切り込みと、この切り込みにおける下部に、折り部に対して垂直な方向に形成した切り込みとによってＴ字状の切り込みを形成する。そして、折り部を境にして外装部５１を上に折り曲げるように起こす。起こした領域を、所定の幅を残してさらに折り返し、山形の稜線が形成される。
【００６９】
この形成された一対の山形の稜線と接して板状のホログラム支持板５３が設けられる。ホログラム支持板５３は、接続部５４により外装部５１と接続されている。支持体角度矯正部５２上に配設されるホログラム支持板５３と、支持体角度矯正部５２の有する一対の稜線がホログラム支持板５３とそれぞれ接することにより、ホログラム支持板５３を支えた状態での安定性を高めることができる。また、形成する山形の高さや傾斜の角度を調節することにより、ホログラム支持板５３が載置台に対して適切な角度となるように配設することが可能となる。
【００７０】
このように外装部５１の一部を切り起こすことによって支持体角度矯正部５２を構成するので、別の部材を新たに取り付ける場合に比して手間が減少し、作製工程を簡単にすることができる。支持体角度矯正部５２を構成するために切り出した分に相当する開口は、薄板状部材５１ａ、５１ｂの積層された裏面部材により塞がれ、強度不足が生じたり、美観が損ねられることが防止される。なお、支持体角度矯正部５２は、例えば外装部５１とは別の部材を新たに取り付けることにより形成することもできる。
【００７１】
また、支持体角度矯正部５２は、図５に示す構造とすることに限定されるものではなく、外装部５１を開いた状態における立体構造については、支持体角度矯正部５２における全体の形状、折りの位置及び形状、或いは外装部５１に対して取り付ける位置や向きなどに応じて、任意の構造とすることができる。
【００７２】
外装部５１を開いた状態において、支持体角度矯正部５２の上にホログラム支持板５３が位置し、ホログラム支持板５３が開口方向に正対する位置にセットされる。外装部５１を閉じた状態では、ホログラム支持板５３の面が薄板状部材５１ａ、５１ｂと平行となるように、外装部５１の内面側に挟まれる。ホログラム支持板５３はホログラムまたはホログラフィックステレオグラム（以下では単にホログラムと称する）を取り付ける部材で、例えば外装部５１と同様の材料である紙や薄板状に形成された樹脂材料などによって形成されている。ホログラム支持板５３は、取り付けられるホログラムと略々同等の大きさの矩形のものである。
【００７３】
ホログラム支持板５３の一面は、外装部５１を開いた際に支持体角度矯正部５２と接する面である。ホログラム支持板５３の他面は、ホログラム（図示せず）が置かれる面である。ホログラムは、単にホログラム支持板５３上に置かれるだけでも良く、また、ホログラム支持板５３におけるホログラム取り付け部位に、例えば粘着剤や接着剤を塗布することによって固定されても良い。さらに、各種の粘着テープや接着テープなどを用いたり、ホログラム支持板５３とホログラムとを挟むクリップやステープルなどを用いたりすることによりホログラムを固定してもよい。また、固定するホログラムの端部に対応する位置に少なくとも一対の切れ込みを設け、この切れ込みにホログラムの端部を差し込むことによりホログラムを挟持することも可能である。
【００７４】
なお、ホログラムはホログラム支持板５３上に予めホログラムを固定したり、外装部５３に少なくとも一対の切れ込みを設け、この切れ込みにホログラムの端部を差し込むことによりホログラムを固定したりしてもよい。このようにホログラムを固定する事により、輸送時のホログラムの移動防止することができる。
【００７５】
外装部５１の上端部には、第２の立体構造部として光源支持部５５が形成される。光源支持部５５は外装部５１と接続され、外装部５１を開くと外装部５１に対して所定の角度で前方に突出される。光源支持部５５は、外装部５１の上部から見て谷折りとなる方向に折り目が形成され、外装部５１を閉じた状態ではこの折り目の位置で光源支持部５５が折り曲げられ、外装部５１を開くに伴い光源支持部５５が広がって徐々に立体化する。
【００７６】
光源支持部５５は、例えば外装部５１の折り部を中心として薄板状部材５１ａ、５１ｂの一部を円弧状に切り出し、切り出した領域を外装部５１の内面側からみて山折りとなるように、折り出すことにより形成することができる。外装部５１の内面側に光源支持部５５が設けられるので、外装部５１を開いたときに、薄板状部材５１ａと５１ｂとが形成する開口角度が１８０度を越えることはない。このように外装部５５が最大限開く角度を設定することにより、外装部５１を開く度に光源５６の位置を常に一定の位置とすることが容易となる。また、外装部５１を自立させたときの安定性を高めることができる。なお、光源支持部５５を、例えば外装部５１とは別の部材を新たに取り付けることにより形成してもよい。
【００７７】
光源支持部５５の所定の位置には、ホログラムを適切な距離および角度で照射するように光源５６が設置される。例えば光源５６は、光源支持部５５が形成する立体構造の先端で、光源支持部５５が谷折りされる部分に設けることができる。光源５６は、外装部５１を開いて光源支持部５５が立体化するに伴い、外装部５１の折り部に沿って徐々に外装部５１の下部を照射するように動いていく。そして、外装部５１が略９０度に開いたとき、光源５６はホログラムの略中央部を斜め上から照射する位置で保持される。このように外装部５１の内部に予め光源支持部５５が設けられることにより、光源５６を適切な位置に設置する作業を簡易化することができる。
【００７８】
また、光源支持部５５は、ポストカード５０の上方からの外光（不要光）が直接ホログラムに照射するのを防ぐ庇としての機能も果たしている。外光が照射されると、ホログラムのコントラストが低下したり、多重像が再生されたりすることになるが、この庇機能により、良好な像を再生することができる。
【００７９】
光源５６としては、例えばＬＥＤ(Light Emitting Diode)が用いられる。光源としては、ホログラムの記録時のレーザ波長（例えば青：４７６ｎｍ、緑：５３２ｎｍ、赤：６４７ｎｍ）と等しい波長の成分を含むものが好ましい。例えば赤発光のＬＥＤまたはレーザ、緑発光のＬＥＤまたはレーザおよび青発光のＬＥＤまたはレーザがΔ状に接近して配置された光源を使用できる。勿論、光源としては、他の種類の光源を使用できる。例えば三原色の３個の波長の光を放射する蛍光体励起方式の白色ＬＥＤ、青紫色または紫外線ＬＥＤによる蛍光体励起方式の白色ＬＥＤ等を使用することができる。さらに、クリプトン光源、キセノン光源、ハロゲン光源等も使用できる。
【００８０】
光源５６の電源としての電池、駆動回路等の回路部、点灯／消灯を切り換えるスイッチ等を、薄板状部材５１ａおよび５１ｂと裏面部材との間に配することができる。スイッチは、例えば外装部５１を閉じた状態で、光源５６を消灯し、外装部５１を開いた時に光源５６を点灯させるように、外装部５１の開閉と連動した構成とされる。この場合、開口角度が１５°程度から光源５６の点灯が開始し、その後、外装部５１が所定の開口角度まで開く間、光源５６を点灯させるようにすれば、ホログラムに対する光源５６の入射角が変化し、その間のホログラム像の立体感、動きを観察者は楽しむことができる。
【００８１】
光源５６を点灯を制御する方法としては、例えば外装部５１を開いてから３０秒間の間光源５６を点灯させ、その後消灯させるようにしてもよい。外装部５１の開閉と連動した構成とすることによって、電池の消耗を抑えることができる。
【００８２】
また、外装部５１の内面側に手動スイッチを設け、観察者が手動スイッチを操作することによって、光源５６の点灯および消灯を制御するようにしてもよい。例えば観察者は外装部５１を軽く開いてこの手動スイッチを押すことにより、光源５６を点灯させることができる。具体的には、例えば手動スイッチを押している間点灯するモード、手動スイッチを押してから所定の時間点灯し、その後自然に消灯するモードなど、様々な構成とすることができる。さらに、上述の連動スイッチと手動スイッチとが両方形成されており、両方のスイッチの電源が入る状態となったときにのみ点灯するモードが可能である。この場合には、輸送中に誤って外装部５１が開いたり、手動スイッチが押圧されたりすることによって光源５６が点灯し、電池が消耗することを防止することができる。
【００８３】
なお、光源支持部５５に予め光源を設置する場合に限られず、例えばキーライトのような電池も内蔵した筒状の光源を観察時に取り付けるようにしてもよい。観察者は、光源を光源支持部７２に設置し、スイッチをつけることによってホログラムを適正に照射することができる。
【００８４】
また、薄板状部材５１ａおよび５１ｂと裏面部材との間の収納空間にスピーカー等の音声再生部を内蔵させ、外装部５１を開くと音楽や音声が再生されるようにしてもよい。これら音楽や音声の再生および停止の動作は、光源５６の場合と同様にスイッチにより制御する構成とすることができる。
【００８５】
図６に、ポストカード５０を図５中のＡ−Ａ線の矢印方向から見た断面図を示す。ポストカード５０は、開口部の角度が略９０°となるように外装部５１が開かれ、載置台５７上で自立して置かれる。
【００８６】
図６に示すように、光源５６とホログラム支持板５３の中央部とを結ぶ線Ｂと、ホログラム支持板５３の面に対して垂直の線（法線）との角度θ１がホログラムの観察条件にとって最適な角度となるように、光源５６の位置、すなわち、光源支持部５６の奥行き、角度が設定されている。ここで、反射型のホログラムの場合、ホログラフィックステレオグラムの記録時の参照レーザ光の入射角度に対応した角度が観察条件に好ましく、例えばホログラム面に対して鉛直な平面内で、法線方向から±４５°前後（±１５°〜±８０°）の角度で入射される光が再生光として適している場合が多い。すなわち、ホログラムを観察者が正視した状態で、このホログラムの上下方向から上述した角度で再生光が入射された場合に、ホログラム像が最も良好に再生されることとなる。したがって、角度θ１は、例えば１５°〜８０°、より好ましくはθ１が４０〜６０°となるように光源５６が取り付けられることによって、高画質なホログラフィックステレオグラム画像を鑑賞することができる。
【００８７】
また、ホログラム支持板５３は、載置台５７の垂線Ｃとの角度θ２が所定の角度を保つように、支持体角度矯正部５２により支えられる。この角度θ２を、例えば０°〜５０°すなわち、ホログラムまたはホログラフィックステレオグラムの面の法線と、上記載置台５７の垂線とのなす角度が４０°〜９０°とすることで、ポストカード５０を載置台５７に自立させてホログラムを鑑賞しやすくなる。
【００８８】
上述したこの発明の第１の実施の形態は、外装部５１の内面側に支持体角度矯正部５２、ホログラム支持部５３および光源支持部５５が設けられているので、ホログラムおよび光源５６をそれぞれ所定の位置に簡易な方法で設置することができる。さらに、ホログラムと光源５６とが最適な位置関係を形成するように、ホログラム支持部５３および光源支持部５５の位置および角度が調節されて設けられているので、ホログラムの観察条件を良好にすることができる。したがって、光源５６を点灯させて光を当てるだけで、誰でも容易に高画質のホログラフィックステレオグラム画像を鑑賞することができる。
【００８９】
また、外装部５１を閉じるに伴い支持体角度矯正部５３および光源支持部５５が外装部５１の内面側に折り畳まれるので、ポストカード５０の厚さが全体として薄くなる。そして、ポストカード５０を折り畳んだ状態で、例えば封筒等に同封し、郵送することができる。また、例えばホログラム支持板５３に予めホログラムを固定したり、または外装部５１の所定の位置にホログラムを固定して外装部５１を閉じることにより、外装部５１の内面側にホログラムを挟持した状態でポストカード５０を輸送、運搬したり、或いは収納することができる。したがって、ホログラムのホログラム面を外装部５１によって保護することができ、ホログラム面に破損や損傷などが生じてしまうことを防止できる。また、輸送・運搬時や収納時には、全体が折り畳まれて厚さが薄くなることから、優れた可搬性を備えているといった特徴を有している。
【００９０】
また、ポストカード５０は、外装部５１を開いた状態で、ホログラム支持板５３が支持体角度矯正部５２により立体的に位置されることから、この支持体角度矯正部５２による立体表現とホログラムのホログラム像による立体表現との相乗効果により、極めて効果的な三次元表現を行うことができる。
【００９１】
なお、ポストカード５０においては、外装部５１の内面側、或いは外面側に、例えば人物や風景などの図や写真などが印刷されていたり、支持体角度矯正部５２と同様な構造とすることにより他の立体構造部を形成させて、外装部５１を開いたときに立体的に飛び出す飛び出し部をさらに設けたりしてもよい。これにより、ホログラムのホログラム像が周囲の図や写真、或いは飛び出し部の中に配置されることになり、ホログラム像による立体感をさらに強調することができる。
【００９２】
次に、第２の実施例形態について図７乃至図９を用いて説明する。なお、上述の第１の実施の形態と対応する部分には同一の参照符号を付してその説明を省略する。
【００９３】
第２の実施の形態のポストカード５０において、外装部５１の内面側には、第１の立体構造部として山形形状を呈する支持体角度矯正部６２が複数形成されている。なお、図７乃至図９において、薄板上部材５１ａ、５１ｂの外面側に設けられる裏面部材は簡単のため図示を省略している。複数の支持体角度矯正部６２は、例えば外装部５１の上部から下部の方向にしたがい、徐々に山形の高さが大きくなるように形成される。これにより、載置面に対してホログラムカード６０を所定の角度を保った状態で支えることができる。また、山形の頂点の位置が交互にずらされている。これにより、支持体角度矯正部６２の頂点の位置が広く分布し、ホログラムカード６０の支持の安定性を高めることができる。
【００９４】
なお、折り部で連設された部分をＺ軸として、Ｚ軸に直交する薄板状部材５１ａの下部の辺をＸ軸、Ｚ軸に直交する薄板状部材５１ｂの下部の辺をＹ軸とした場合、支持体角度矯正部６２の頂点の上部側の位置は、Ｘ＋Ｙ＋ｋＺ＝ｌ( ｋ、ｌは定数) のような平面内にほぼ形成されるようになっている。したがって、ホログラムカード６０は支持体角度矯正部６２のそれぞれの頂点と安定的に接することが可能となる。
【００９５】
このような支持体角度矯正部６２は、外装部５１を切り出して折り曲げることによって形成できる。例えば外装部５１の折り部に対して垂直な方向に、互いに平行な同じ長さの切れ込みを一組として、複数組の切れ込みを形成し、これらの切れ込みによって分断された領域を、外装部５１の折り部とは逆向きに（すなわち、山折りで）折り出すことにより形成される。切れ込みの長さを各組ごとに変えることにより、形成される山部の高さを異なるものとすることができる。また、外装部５１の折り部に対して非対称の長さとなるように、切れ込みを形成することにより、外装部５１を開いた状態での支持体角度矯正部６２の山形の頂点の位置を、中心となる折り部の位置とずらすことができる。
【００９６】
接続部６４は、例えば薄板状部材５１ａ、５１ｂと同じ素材の樹脂等で成形された薄い帯状または紐状の部材で、接続部６４の一方の端部が外装部５１の内面側に接着され、その他方の端部にクリップ６３が固定される。クリップ６３がホログラムカード６０の一辺側の両端部を挟んで保持する。ホログラムカード６０を安定して挟持するため、接続部６４およびクリップ６３が複数設けられる。また、接続部６４は、外装部５１を開いたときに、ホログラムカード６０が支持体角度矯正部６２の頂点と接するような位置および長さで設けられる。
【００９７】
外装部５１を閉じたときには、外装部５１の内面側にホログラムカード６０は保持される。外装部５１を開くときは、図７および図８に示すように外装部５１を開くにつれて、ホログラムカード６０が接続部６４により引っ張られるように、支持体角度矯正部６２の上を移動し、図９に示すように外装部の開口部が略９０度に開いたときに、支持体角度矯正部６２の頂点によりホログラムカード６０が支えられて外装部５１の開口方向に正対するように、セットされる。
【００９８】
なお、第２の実施の形態においては、ホログラムカード６０が支持体角度矯正部６２の頂点と接して支えられていることから、この頂点が、ホログラム支持部としての機能を有していることとなる。
【００９９】
次に、図１０を参照してこの発明の第３の実施の形態について説明する。図１０Ａ乃至図１０Ｃは、外装部５１を徐々に開いていく過程を示す斜視図である。
【０１００】
第３の実施の形態におけるポストカード５０の外装部５１には、開いた状態での内面側に、第１の立体構造部として、薄板状部材５１ａおよび５１ｂの内面側の間を架け渡すように設けられるホログラム支持部７１が設けられる。ホログラム支持部７１は外装部５１と同様に、例えば紙や薄板状に形成された樹脂材料によって形成され、外装部５１を開いた状態で例えば略扇形等の形を呈する部品である。ホログラム支持部７１は、外装部５１の上部から見て山折りとなる方向に折り目が形成され、外装部５１を閉じた状態ではこの折り目の位置でホログラム支持部７１が折り曲げられる。
【０１０１】
所定の形に成形したホログラム支持部７１の両端部を薄板状部材５１ａおよび５１ｂに接着剤などによって固定することによって取り付けることができる。また、ホログラム支持部７１は外装部５１と別の部材を新たに取り付けることにより構成することに限定されるものではなく、薄板状部材５１ａ、５１ｂのうちの一部に例えば台形の切れ込みを下部側の一辺を除いてそれぞれ設け、この切れ込みによって分断された領域を外装部５１の内面側にそれぞれ折り込み、折り込まれた領域の先端である両辺を接続することにより形成してもよい。
【０１０２】
このように外装部５１のうちの一部を切り出すことによってホログラム支持部７１を構成することにより、別の部材を取り付けるために要する手間を不要とすることができる。また、外装部５１を折り畳んだ際の厚みを薄くすることができる。なお、ホログラム支持部７１を薄板状部材５１ａ、５１ｂから切り出すことにより生じる開口は、外装部５１に設けられる裏面部材により塞がれる。
【０１０３】
ホログラムカード６０は、ホログラム支持部７１に形成される折り目により分割される領域の一方に接着される。したがって、外装部５１を折り畳んでホログラム支持部７１が山折りされても、ホログラムカード６０に折り目をつけることなく外装部５１を折り畳むことができる。
【０１０４】
外装部５１の内面側の上端部には、第２の立体構造部として光源支持部７２が設けられる。光源支持部７２は、例えば外装部５１の内面側から見て谷折りされるように設けられた立体構造部である。光源支持部７２の先端部には、例えば上下に開口した筒状の部位が設けられ、この部位に光源５６を設置することができる。なお、光源支持部７２およびホログラム支持部７１は、設置される光源５６が適切な角度でホログラムカード６０を照射するような位置関係でそれぞれ設けられる。
【０１０５】
外装部５１の内面側の上端部には、第３の立体構造部として庇部７３がさらに設けられる。庇部７３は、外装部５１を開いた状態において光源支持部７２を逃げるように、折り部側に光源支持部７２が位置する開口を有する。庇部７３の中央部には外装部５１の上部から見て谷折りとなる方向に折り目が形成されている。外装部５１を閉じた状態では、この折り目の位置で庇部７３が折り曲げられる。
【０１０６】
なお、庇部７３は、図１０に示す構造に限定されるものではなく、外装部５１を開いた状態における立体構造については、全体の形状、折りの位置及び形状、或いは外装部５１に対して取り付ける位置や向きなどに応じて、任意の構造とすることができる。
【０１０７】
図１０Ａに示すように、外装部５１を閉じたときには、外装部５１の内面側にホログラム支持部７１、光源支持部７２、および庇部７３がそれぞれ折り畳まれ、ホログラムカード６０が保持される。外装部５１を開くときは、図１０Ｂに示すように外装部５１を開くにつれて、ホログラム支持部７１は薄板状部材５１ａおよび５１ｂにそれぞれ引っ張られてホログラム支持部７１に形成された折り目が徐々に平面となるようにされる。同様に、庇部７３も薄板状部材５１ａおよび５１ｂにそれぞれ引っ張られて庇部７３に形成された折り目が徐々に平面となるようにされていく。このとき、光源支持部７２は、外装部５１が開くにつれて光源支持部７２の山折り部の頂点が外装部５１の折り部の方向に移動していくので、光源支持部７２と庇部７３がぶつかり合うことはない。
【０１０８】
そして、図１０Ｃに示すように外装部の開口部が略９０度に開いたときに、ホログラム支持部７１が一平面を形成し、その平面上にホログラムカード５０が固定され、外装部５１の開口方向に正対するように載置される。また、光源支持部７２に設けられた折り目によって分割された２つの部位が、薄板状部材５１ａ，５１ｂとそれぞれ略々平行となり、光源支持部７２に設置された光源５６によりホログラムを適切な角度で照射することができる。
【０１０９】
ポストカード５０においては、薄板状部材５１ａ，５１ｂが開く回転軸の方向を、ホログラムカード６０の再生に適した照明光の入射方向と略々同一方向とすることにより、外装部５１の開閉動作に伴って、若干ホログラムカード６０に対する光の入射方向とホログラム面に対する観察者の視点とが順次変化することとなる。したがって、例えばホログラムカード６０がホログラフィックステレオグラムとして形成され、ホログラム像に対して垂直方向に複数の要素ホログラムが記録されている場合には、このホログラム像に対して垂直方向に外装部５１を開閉する構造とすることによって、立体表示された動画像を良好に再生することが可能となる。
【０１１０】
次に、この発明の第４の実施の形態について説明する。第４の実施の形態は、図１１に示すように、薄板状部材９１ａ、９１ｂが開く回転軸の方向が光源６４の照射方向と略々直交するようにしたポストカード８０である。
【０１１１】
図１１のポストカード８０は、外装部９１の内部に形成された外装部支持体８２により外装部９１を所定の角度で開いた状態で維持され、薄板状部材９１ｂの外面側を下にして載置台の上に載置されている。外装部９１の内面側には切り込み部８１によって固定されたホログラムカード６０と、ホログラムカード６０を斜め上の方向から適切な角度で照射する光源６４が設けられている。光源６４は、薄板状部材９１ａにおいて外装部９１を開いたときにホログラムカードを照射できる位置に設けられる。
【０１１２】
切り込み部８１は、例えば薄板状部材９１ｂの一部に少なくとも一対の切り込みが形成されており、この切り込み８１にホログラムカード６０の端部を挟み込むことによりホログラムを固定することができる。また、薄板状部材９１ｂの所定の部分に例えば粘着剤や接着剤を塗布することによってホログラムカード６０を固定してもよい。このようにホログラムカード６０が外装部９１の内部に固定されることにより、輸送中のホログラムカード６０の移動を防止できると共に、ホログラム面に傷がつくことを防止することができる。
【０１１３】
支持部８２は、外装部９１の内部に設けられた薄板状部材９１ａを開いた状態で支持するための部材で、例えば薄板状部材９１ｂにおいて外装部９１の折り部の近傍に設けられる。支持部８２は、外装部９１を開いた状態で薄板状部材９１ｂから薄板状部材９１ａの方向に折り曲げ、外装部材９１ａに形成された切り込み８３にその先端が挿入される。支持部８２の高さを設定することによって、外装部材９１の開き角度を所望のものに設定することができる。
【０１１４】
以上、この発明の第１乃至第４の実施の形態について具体的に説明したが、この発明は、上述の実施の形態に限定されるものではなく、この発明の技術的思想に基づく各種の変形が可能である。例えば、上述の実施の形態においては、ポストカード５０、８０における外装部５１、９１が２つの薄板状部材によって構成され、これらが２つ折りで折り畳まれる場合について説明したが、ポストカード５０、８０は、２つ折りとすることに限定されるものではなく、例えば３つ以上の薄板上部材によって外装部５１、９１が構成され、３つ折り以上に折り畳むことが可能とされていてもよい。
【０１１５】
また、ポストカード５０、８０は、ホログラムカード６０を１つだけ備えることに限定されるものではなく、例えば２つ以上のホログラムカードを備えるようにしてもよい。例えば第３の実施の形態の図１０、ホログラム支持部７１は山折で左右２つの面に分かれ、一枚のカードが一方に固定される例を説明したが、これらの左右２つの面にそれぞれ別のホログラムカードが備えられていても良い。
【０１１６】
また、外装部５１、９１を構成する薄板状部材を３つ以上連設された形状として外装部５１、９１の内部に複数ページを設け、ホログラムカード６０を各ページにそれぞれ支持することによって、ページをめくる毎にそれぞれ異なるホログラムカード６０を順次観察できるようにしてもよい。
【０１１７】
また、上述の実施の形態においては、外装部５１、９１が紙等の薄板状部材によって平面状に形成される場合について説明したが、外装部５１、９１を所定の厚さで形成するようにしてもよい。このように外装部５１の厚さを厚くすることによって、外装部５１、９１における機械的強度を向上させることが容易となることから、ホログラムに対する保護を強化させることができる。また、このように厚みを設けた外装部５１、９１の内部に、各種の弾性体を備えてホログラムに加わる衝撃を吸収する構成としてもよい。
【０１１８】
また、外装部５１、９１の裏面側に、ＣＤやＤＶＤ等の光ディスクを収納できるパッケージを設けることもできる。これにより、例えばアーティストのホログラムカード６０をジャケットにＣＤと同梱させることができる。
【０１１９】
また、例えば光源の電池を交換可能としたり、ＡＣアダプターにより常時点灯可能になっていること、光源は交換できるようにソケット式になっていることなどの付加機能をつけたりしてもよい。
【０１２０】
また、ホログラム支持体に備えられるものは、カード式のものに限定されるものではなく、ホログラムを有し、観察できる状態で保持されるものに適用でき、キーホルダやシールなどであってもよい。
【０１２１】
さらには、上述の実施の形態においては、観察者の意思があれば、自由にホログラムカードなどをホログラム支持体から分離できる例を説明したが、再剥離不可能な接着剤や画面テープなどで固着されていてもよい。
【図面の簡単な説明】
【０１２２】
【図１】ホログラム用記録媒体の説明に用いる断面図である。
【図２】ホログラム用記録媒体の感光プロセスを説明するための概略図である。
【図３】ホログラフィックステレオグラム作製装置の全体構成を説明する図である。
【図４】ホログラフィックステレオグラム作製装置の光学系を説明する図である。
【図５】第１の実施の形態のポストカードを開いた状態での斜視図である。
【図６】第１の実施の形態のポストカードを開いた状態での断面図である。
【図７】第２の実施の形態のポストカードを開く過程を示す斜視図である。
【図８】第２の実施の形態のポストカードを開く過程を示す斜視図である。
【図９】第２の実施の形態のポストカードを開いた状態の斜視図である。
【図１０】第３の実施の形態のポストカードを開く過程を示す図である。
【図１１】第４の実施の形態のポストカードを開いた状態の斜視図である。
【図１２】ホログラフィックステレオグラムの作製方法を説明するための略線図である。
【符号の説明】
【０１２３】
３・・・・ホログラム用記録媒体
４・・・・ベースフィルム
５・・・・フォトポリマ層
１０・・・ホログラフィックステレオグラム作製装置
５０・・・・ポストカード
５１ａ、５１ｂ・・・・薄板状部材
５１・・・・外装部
５２、６２・・・・支持体角度矯正部
５３、７１・・・・ホログラム支持部
５４、６４・・・・接続部
５５、７２・・・・光源支持部
５６・・・・光源
５７・・・・載置台
６０・・・・ホログラムカード
６３・・・・クリップ
７３・・・・庇部
８０・・・・ポストカード
９１ａ、９１ｂ・・・・薄板状部材
９１・・・・外装部
【図１】
2008070478.tif 000003
【図２】
2008070478.tif 000004
【図３】
2008070478.tif 000005
【図４】
2008070478.tif 000006
【図５】
2008070478.tif 000007
【図６】
2008070478.tif 000008
【図７】
2008070478.tif 000009
【図８】
2008070478.tif 000010
【図９】
2008070478.tif 000011
【図１０】
2008070478.tif 000012
【図１１】
2008070478.tif 000013
【図１２】
2008070478.tif 000014